(57)【特許請求の範囲】
【請求項１】
Ｘ線管と、前記Ｘ線管から照射され被検者を通過したＸ線を検出するＸ線検出器と、前記Ｘ線管と前記Ｘ線検出器の間に配置され、前記被検者を載置可能な天板と、前記天板の表面に配設された握り棒とを備えたＸ線撮影装置において、
前記握り棒は、その軸心と直交する方向を向く平面の断面形状が多角形であり、前記被検者の指に相当する形状を有する凹部が、前記被検者の指の間隔に相当するピッチで、その全周に形成されたことを特徴とするＸ線撮影装置。
【請求項２】
請求項１に記載のＸ線撮影装置において、
前記多角形の角部に面取りが施されるＸ線撮影装置。
【請求項３】
請求項１または請求項２に記載のＸ線撮影装置において、
前記凹部は、前記握り棒の軸心を含む平面の断面形状が円弧状であるＸ線撮影装置。
【請求項４】
請求項１乃至請求項３のいずれかに記載のＸ線撮影装置において、
前記凹部の深さは３．５ｍｍ乃至４．０ｍｍであるＸ線撮影装置。
【請求項５】
請求項１乃至請求項４のいずれかに記載のＸ線撮影装置において、
前記凹部のピッチは、２０ｍｍ乃至２４ｍｍであるＸ線撮影装置。
【請求項６】
Ｘ線管と、前記Ｘ線管から照射され被検者を通過したＸ線を検出するＸ線検出器と、前記Ｘ線管と前記Ｘ線検出器の間に配置され、前記被検者を載置可能な天板と、前記天板の表面に配設された握り棒とを備えたＸ線撮影装置において、
前記握り棒は、前記被検者の指が引っ掛かる程度の弾性と摩擦係数とを備えた樹脂から構成されるとともに、前記被検者の指に相当する形状を有する凹部が、前記被検者の指の間隔に相当するピッチで、その全周に形成されたことを特徴とするＸ線撮影装置。
【請求項７】
請求項６に記載のＸ線撮影装置において、
前記樹脂は、エチレン・酢酸ビニル共重合樹脂であるＸ線撮影装置。
【請求項８】
請求項1乃至請求項７のいずれかに記載のＸ線撮影装置において、
前記握り棒は、前記天板の長手方向または短手方向に沿って配設されるＸ線撮影装置。
【発明の詳細な説明】
【技術分野】
【０００１】
この発明は、透視撮影台等のＸ線撮影装置に関する。
【背景技術】
【０００２】
このようなＸ線撮影装置は、Ｘ線管と、このＸ線管から照射され被検者を通過したＸ線を検出するＸ線検出器と、Ｘ線管とＸ線検出器の間に配置され被検者を載置可能な天板とを備えている（特許文献１参照）。天板は、臥位撮影を実行するための臥位位置と、立位撮影を実行するための立位位置との間を移動可能となっている。天板の表面には、臥位撮影を実行するときに被検者が身体を所定姿勢で維持するために使用する一対の握り棒が配設されている（特許文献２参照）。
【先行技術文献】
【特許文献】
【０００３】
【特許文献１】特開２００６−８１７８５号公報
【特許文献２】特開２０１０−９９１６７号公報
【発明の概要】
【発明が解決しようとする課題】
【０００４】
このような透視撮影台等のＸ線撮影装置において臥位撮影を実行する場合においては、天板の水平方向に対する角度を変化させることにより、被検者の姿勢や体位を変化させて各部位の透視や撮影を行っている。このような場合には、被検者が自分の身体を支えることにより身体を所定姿勢に維持するために、被検者が左右一対の握り棒を握るようにしている。
【０００５】
この時、従来のＸ線撮影装置における握り棒は、被検者の握りやすさを考慮した形状とはなっていなかった。特に、被検者が上を向いた仰臥位（背臥位）となったときの握りやすさを考慮した握り棒において、被検者がうつぶせになった伏臥位（腹臥位）で撮影を行う場合には、被検者が握り棒を確実に握ることが困難となる場合もあった。
【０００６】
この発明は上記課題を解決するためになされたものであり、被検者の指が握り棒に確実に引っ掛かり、被検者が握り棒を十分に把持することが可能なＸ線撮影装置を提供することを目的とする。
【課題を解決するための手段】
【０００７】
請求項１に記載の発明は、Ｘ線管と、前記Ｘ線管から照射され被検者を通過したＸ線を検出するＸ線検出器と、前記Ｘ線管と前記Ｘ線検出器の間に配置され、前記被検者を載置可能な天板と、前記天板の表面に配設された握り棒とを備えたＸ線撮影装置において、前記握り棒は、その軸心と直交する方向を向く平面の断面形状が多角形であり、前記被検者の指に相当する形状を有する凹部が、前記被検者の指の間隔に相当するピッチで、その全周に形成されたことを特徴とする。
【０００８】
請求項２に記載の発明は、請求項１に記載の発明において、前記多角形の角部に面取りが施される。
【０００９】
請求項３に記載の発明は、請求項１または請求項２に記載の発明において、前記凹部は、前記握り棒の軸心を含む平面の断面形状が円弧状である。
【００１０】
請求項４に記載の発明は、請求項１乃至請求項３のいずれかに記載の発明において、前記凹部の深さは３．５ｍｍ乃至４．０ｍｍである。
【００１１】
請求項５に記載の発明は、請求項１乃至請求項４のいずれかに記載の発明において、前記凹部のピッチは、２０ｍｍ乃至２４ｍｍである。
【００１２】
請求項６に記載の発明は、Ｘ線管と、前記Ｘ線管から照射され被検者を通過したＸ線を検出するＸ線検出器と、前記Ｘ線管と前記Ｘ線検出器の間に配置され、前記被検者を載置可能な天板と、前記天板の表面に配設された握り棒とを備えたＸ線撮影装置において、 前記握り棒は、前記被検者の指が引っ掛かる程度の弾性と摩擦係数とを備えた樹脂から構成されるとともに、前記被検者の指に相当する形状を有する凹部が、前記被検者の指の間隔に相当するピッチで、その全周に形成されたことを特徴とする。
【００１３】
請求項７に記載の発明は、請求項６に記載の発明において、前記樹脂は、エチレン・酢酸ビニル共重合樹脂である。
【００１４】
請求項８に記載の発明は、請求項1乃至請求項７のいずれかに記載の発明において、前記握り棒は、前記天板の長手方向または短手方向に沿って配設されるＸ線撮影装置。
【発明の効果】
【００１５】
請求項１から請求項８に記載の発明によれば、被検者の指が握り棒に確実に引っ掛かることから、被検者が握り棒を十分に把持することが可能となる。
【００１６】
請求項６および請求項７に記載の発明によれば、握り棒を構成する樹脂の弾性と摩擦係数の作用により、被検者の指がより確実に握り棒に引っ掛かることになり、被検者が握り棒をさらに十分に把持することが可能となる。
【図面の簡単な説明】
【００１７】
【図１】この発明に係るＸ線撮影装置の概要図であり、テーブル１３が臥位位置に配置されたときの正面図である。
【図２】この発明に係るＸ線撮影装置の概要図であり、テーブル１３が立位位置に配置されたときの正面図である。
【図３】この発明に係るＸ線撮影装置の概要図であり、テーブル１３が立位位置に配置されたときの側面図である。
【図４】握り棒４０の斜視図である。
【図５】握り棒４０の部分断面図である。
【発明を実施するための形態】
【００１８】
以下、この発明の実施の形態を図面に基づいて説明する。図１乃至図３は、この発明に係るＸ線撮影装置の概要図である。なお、図１は、テーブル１３が臥位位置に配置されたときのＸ線撮影装置の正面図である。また、図２は、テーブル１３が立位位置に配置されたときのＸ線撮影装置の正面図である。さらに、図３は、テーブル１３が立位位置に配置されたときのＸ線撮影装置の側面図である。
【００１９】
このＸ線撮影装置は、Ｘ線透視撮影台と呼称されるものであり、天板１３と、この天板１３に連結されたスライドアーム１５と、このスライドアーム１５の先端に配設されたＸ線管１１と、天板１３に対してＸ線管１１の逆側に配設されたイメージインテンシファイア（Ｉ．Ｉ）やフラットパネルディテクタ（ＦＰＤ）等のＸ線検出器１２とを備える。スライドアーム１５には、必要に応じ被検者の診断部位を圧迫するための圧迫筒機構２０が配設されている。また、天板１３には、踏み台３０と、この発明の特徴部分である握り棒４０とが固定されている。この握り棒４０は、図１乃至図３に示すように、天板１３の長手方向に沿って配設される。ただし、この握り棒４０を、天板１３の長手方向と直交する方向である短手方向に沿って配設してもよい。
【００２０】
これらの天板１３、スライドアーム１５およびＸ線管１１は、図示しないモータを内蔵した回転機構１６の作用により、図１に示す、天板１３の表面が水平方向を向く臥位位置と、図２および図３に示す、天板１３の表面が鉛直方向を向く立位位置との間を回動可能となっている。また、回動機構１６自体は、ベースプレート１８上に立設された主支柱１７に対して昇降可能となっている。
【００２１】
天板１３が臥位位置にあるときには、臥位状態の被検者に対して透視あるいは撮影が行われる。このときには、被検者は天板１３上に載置される。また、天板１３が立位位置にあるときには、立位状態の被検者に対して透視あるいは撮影が行われる。また、天板１３の角度を変更しながら撮影を行うときには、被検者は天板１３に固定された踏み台３０上に起立する。そして、被検者を天板１３に乗せたままの状態で、天板１３の角度が変更される。この時には、被検者は、天板１３上に配設された一対の握り棒４０を把持して、自分の身体を支える。
【００２２】
臥位状態の被検者に対して透視あるいは撮影を行う場合において、例えば、天板１３が、被検者の頭部が下方を向くような角度となる場合がある。このような場合においては、被検者は、天板１３上に配設された一対の握り棒４０を確実に把持する必要がある。このため、この発明に係るＸ線撮影装置においては、一対の握り棒４０の形状を特有のものとしている。
【００２３】
図４は、握り棒４０の斜視図である。また、図５は、握り棒４０の部分断面図である。
【００２４】
この握り棒４０は、被検者が把持する領域である握り部４１と、この握り部４１の両端に形成された天板１３への固定部４２とから構成される。この握り棒４０は、ＥＶＡ（エチレン・酢酸ビニル共重合樹脂／ｅｔｈｙｌｅｎｅ  ｖｉｎｙｌ  ａｃｅｔａｔｅ  ｃｏｐｏｌｙｍｅｒ）を射出成型することにより作成される。このため、この握り棒４０は、被検者の指が引っ掛かる程度の弾性と摩擦係数とを備えることになる。なお、ＥＶＡのかわりに、被検者の指が引っ掛かる程度の弾性と摩擦係数とを備えたその他の樹脂を使用してもよい。
【００２５】
この握り棒４０における握り部４１は、凹部が一定のピッチでその全周に形成された円筒形状を有する。すなわち、この握り棒４０は、その軸心と直交する方向を向く平面の断面形状が円形となっている。この握り棒４０における凹部の形状は、被検者の指に相当する形状となるように形成され、この凹部のピッチは、被検者の指の間隔に相当するピッチとなるように形成される。図５に示すように、握り棒４０における握り部４１の外径はＳとなっており、そこに形成された凹部の形状は半径Ｒの円弧の一部であり、凹部のピッチはＰ、深さはＤとなっている。ここで、握り棒４０における握り部４１の外径Ｓは、３４ｍｍ乃至３８ｍｍであることが好ましく、凹部の深さＤは３．５ｍｍ乃至４．０ｍｍであることが好ましく、凹部のピッチＰは２０ｍｍ乃至２４ｍｍであることが好ましい。
【００２６】
すなわち、親指と中指とで作った輪の内径を握り内径としたとき、東洋人の成人男性の握り内径の平均値は４０．１ｍｍ程度、成人女性の握り内径の平均値は３８．３ｍｍ程度である。このため、握り棒４０の握り部４１が手の中に収まるためには、握り部４１の外径Ｓは３８ｍｍ以下であり、３４ｍｍ乃至３８ｍｍであることが好ましい。
【００２７】
また、外径Ｓが３８ｍｍの握り部４１の全周に、深さＤが３．８ｍｍの凹部を形成すると、握り部４１の最小外径は３０．４ｍｍとなる。この時には、外径Ｓと最小外径との円周長さは、それぞれ、１１９．４ｍｍと９５．５ｍｍとなり、その差は２３．９ｍｍとなる。一方、東洋人の成人男性の人差し指と中指の長さの平均値は、それぞれ、７１．３ｍｍと７９．５ｍｍ程度であり、成人女性の人差し指と中指の長さの平均値は、それぞれ、６６．５ｍｍと７４．１ｍｍ程度である。そして、関節間の長さは、各指の三分の一程度であると考えると、この値は２２．２ｍｍ乃至２６．５ｍｍ程度となり、外径Ｓと最小外径との円周長さの差と同程度となる。これにより、最小外径で指の第一関節が重なる程度に握り部４１を握りしめることができる。この深さＤは、３．５ｍｍ乃至４．０ｍｍであることが好ましい。
【００２８】
さらに、東洋人の指の関節の幅の最大値は、２２ｍｍ程度である。このため、握り棒４０における握り部４１に形成された凹部のピッチＰは、２０ｍｍ乃至２４ｍｍであることが好ましい。
【００２９】
なお、上述した実施形態においては、握り棒４０として、その軸心と直交する方向を向く平面の断面形状が円形となる円筒形状を有するものを使用している。しかしながら、この握り棒４０として、その軸心と直交する方向を向く平面の断面形状が楕円形となるものを使用してもよい。さらには、その軸心と直交する方向を向く平面の断面形状が多角形となるものを使用することも可能である。この場合には、多角形の角部に面取りを施すことが好ましい。
【００３０】
以上のように、この発明に係るＸ線撮影装置においては、握り棒４０の握り部４１は、凹部が一定のピッチでその全周に形成された円筒形状を有し、この凹部の形状は、被検者の指に相当する形状となるように形成され、この凹部のピッチは、被検者の指の間隔に相当するピッチとなるように形成されることから、被検者の指が握り棒４０に確実に引っ掛かり、被検者が握り棒４０を十分に把持することが可能となる。
【符号の説明】
【００３１】
１１      Ｘ線管
１２      Ｘ線検出器
１３      天板
１４      固定用凹部
１５      スライドアーム
１６      回転機構
１７      主支柱
１８      ベースプレート
３０      踏み台
４０      握り棒
４１      握り部
４２      固定部
【図１】
0005930017.tif 000002
【図２】
0005930017.tif 000003
【図３】
0005930017.tif 000004
【図４】
0005930017.tif 000005
【図５】
0005930017.tif 000006